(57)【特許請求の範囲】
【請求項１】
原稿ガイド板上からコンタクトガラスおよび原稿押さえローラの間に搬送ローラにより原稿を給送し、コンタクトガラスの裏面に配置した画像読み取り部上を移動する原稿の画像を読み取る原稿移動型読取装置において、
前記原稿押さえローラと同一方向に前記原稿の搬送速度よりも早く回転する原稿清掃部材を、前記原稿押さえローラと前記搬送ローラとの間であって前記原稿の被読み取り面側に設け、
前記搬送ローラの回転を前記原稿清掃部材に伝えて該原稿清掃部材を駆動する駆動手段と、
前記搬送ローラによる前記原稿清掃部材の駆動伝達を接続および断続するクラッチと、を設けたことを特徴とする原稿移動型読取装置。
【請求項２】
原稿ガイド板上からコンタクトガラスおよび原稿押さえローラの間に搬送ローラにより原稿を給送し、コンタクトガラスの裏面に配置した画像読み取り部上を移動する原稿の画像を読み取る原稿移動型読取装置において、
前記原稿押さえローラと逆方向に回転する原稿清掃部材を、前記原稿押さえローラと前記搬送ローラとの間であって前記原稿の被読み取り面側に設け、
前記搬送ローラの回転を前記原稿清掃部材に伝えて該原稿清掃部材を駆動する駆動手段と、
前記搬送ローラによる前記原稿清掃部材の駆動伝達を接続および断続するクラッチと、を設けたことを特徴とする原稿移動型読取装置。
【発明の詳細な説明】
【０００１】
【発明の属する技術分野】
本発明は、画像読み取り部上を原稿が移動する原稿移動型読取装置に関する。
【０００２】
【従来の技術】
従来、工業用複写機においては原稿が大きいため、装置の小型化のため原稿固定型読み取り装置よりも原稿移動型読取装置が用いられている。原稿移動型読取装置の代表的な形式としては、画像面を下側にして原稿を搬送して、画像読み取り部（以下、ＣＣＤという）上の原稿押さえローラとコンタクトガラスの間の隙間を通過させることで原稿の画像を読み取る方式がある。
【０００３】
このような原稿移動型読取装置においては、原稿が原稿押さえローラとコンタクトガラスの間の隙間を通過する際、画像面側に付いた付着物をコンタクトガラス上に付着させることがある。この付着物がちょうどＣＣＤの読み込み位置上に付着すると、原稿読み取りの際に常に画像上に現れる。このため、付着物がたとえ微少な粒状であっても、コピー画像には搬送方向全体につながる線、いわゆる黒スジとして現れ、画像に忠実な読み込みを行うことができない。
【０００４】
【発明が解決しようとする課題】
そこで、本出願人は、原稿押さえローラよりも上流でかつ原稿読み取り面側に原稿清掃部材を具備した原稿ガイド板を設けた原稿移動型読取装置を提案している。しかし、上記の原稿移動型読取装置では、原稿清掃部材は原稿のゴミを原稿と接触することにより原稿から除去しているが、この際に原稿清掃部材の材質によっては、ゴミが原稿清掃部材に付着する。このため、原稿清掃部材へのゴミの付着量が限界を超えた場合、ゴミは下流側に搬送され、黒スジの発生に寄与してしまう。このゴミの付着量は、原稿清掃部材の大きさに比例して大きくなるので、装置が大型化すればよいが、装置の大きさには制約がある。そのため、原稿清掃部材の清掃を頻繁に行う必要がある。
【０００５】
また、原稿清掃装置は、原稿の搬送を妨げる位置に設けられているため、コシの弱い原稿では、原稿の送付により先端部が原稿清掃装置に当たることによって、原稿折れを生じることがある。
【０００６】
さらに、原稿清掃部材は固定されているため、ゴミの清掃力を大きくするためには、原稿の搬送速度を早くしなければならない。
【０００７】
本発明の目的は、原稿清掃部材に付着したゴミの除去を行う頻度が少なくて済むと共に、原稿清掃部材により原稿折れを防止できる原稿移動型読取装置を提供することである。
【０００８】
【課題を解決するための手段】
前記目的を達成するために、請求項１に記載の発明は、原稿ガイド板上からコンタクトガラスおよび原稿押さえローラの間に搬送ローラにより原稿を給送し、コンタクトガラスの裏面に配置した画像読み取り部上を移動する原稿の画像を読み取る原稿移動型読取装置において、前記原稿押さえローラと同一方向に前記原稿の搬送速度よりも早く回転する原稿清掃部材を、前記原稿押さえローラと前記搬送ローラとの間であって前記原稿の被読み取り面側に設け、前記搬送ローラの回転を前記原稿清掃部材に伝えて該原稿清掃部材を駆動する駆動手段と、前記搬送ローラによる前記原稿清掃部材の駆動伝達を接続および断続するクラッチと、を設けたことを特徴とするものである。
【０００９】
請求項１に記載の発明によれば、原稿押さえローラと搬送ローラとの間でかつ原稿読み取り面側に、原稿押さえローラと同一方向に原稿搬送速度より早く回転する原稿清掃部材を設けているため、原稿清掃部材は回転しながら原稿と接触し、原稿と接触する面積が大きい。従って、原稿清掃部材へのゴミの付着量が多くなり、原稿清掃部材の清掃の頻度が大幅に減少する。また、原稿清掃部材が原稿の搬送方向と同一方向に原稿搬送速度より早く回転し、原稿清掃部材が原稿搬送の妨げになるのを回避し、原稿折れの無い、円滑な原稿搬送を行う。
【００１０】
請求項２に記載の発明は、原稿ガイド板上からコンタクトガラスおよび原稿押さえローラの間に搬送ローラにより原稿を給送し、コンタクトガラスの裏面に配置した画像読み取り部上を移動する原稿の画像を読み取る原稿移動型読取装置において、前記原稿押さえローラと逆方向に回転する原稿清掃部材を、前記原稿押さえローラと前記搬送ローラとの間であって前記原稿の被読み取り面側に設け、前記搬送ローラの回転を前記原稿清掃部材に伝えて該原稿清掃部材を駆動する駆動手段と、前記搬送ローラによる前記原稿清掃部材の駆動伝達を接続および断続するクラッチと、を設けたことを特徴とするものである。
【００１１】
請求項２に記載の発明によれば、原稿押さえローラと搬送ローラとの間でかつ原稿読み取り面側に原稿押さえローラと逆方向に回転する原稿清掃部材を設けているため、原稿清掃部材は回転しながら原稿と接触し、原稿と接触する面積が大きい。従って、原稿清掃部材へのゴミの付着量が多くなり、原稿清掃部材の清掃の頻度が大幅に減少する。また、請求項１に記載の発明に比べて、原稿搬送速度と原稿清掃部材の回転との周速差が大きいので、原稿からゴミを取り除く力が大きくなり、原稿への付着力の大きいゴミでも取り除く。
【００１４】
【発明の実施の形態】
以下、図１ないし図７において本発明の実施形態の詳細を説明する。
【００１５】
図１に示す第１実施形態に係る原稿移動型読取装置１０は、原稿がその主面上を搬送されるコンタクトガラス２を備える。このコンタクトガラス２の裏面側には、画像読み取り部（ＣＣＤ）３を配置している。また、コンタクトガラス２の主面側には、画像読み取り部３に対向して原稿押さえローラ１を配置する。原稿押さえローラ１とコンタクトガラス２との間には、原稿が挟持される隙間を設けている。
【００１６】
原稿押さえローラ１の図１に示す矢印Ａで示す原稿搬送方向の上流側に、原稿押さえローラ１とコンタクトガラス２との間に原稿を導入するための上下一対の搬送ガイド板（原稿ガイド板）４，６を設けている。搬送ガイド板４，６には、原稿を挟持し、搬送する搬送ローラ対５ａ，５ｂを設けている。
【００１７】
一方、原稿押さえローラ１の原稿搬送方向の下流側に、原稿押さえローラ１とコンタクトガラス２との間から排紙された原稿を導出するための上下一対の排紙ガイド板７ａ，７ｂを設けている。排紙ガイド板７ａ，７ｂには、原稿を狭持して搬送する排紙ローラ対８ａ，８ｂを設けている。
【００１８】
上述の搬送ガイド板４，６のうち下側の搬送ガイド板６には、図２に示すように、原稿清掃部材としての清掃ブラシ９を、搬送ガイド板６に設けられた清掃ブラシ穴６ａから原稿搬送面側にその一部が突出するようにして配置している。この清掃ブラシ９の幅は最大通紙許容幅よりも大きく設定している。
【００１９】
清掃ブラシ９は、図３に示すように、原稿移動型読取装置１０の側板４３ａ、４３ｂによって保持し、清掃ブラシ９の一方の端部に駆動プーリ４４を接続している。この駆動プーリ４４を、図４に示すように、搬送ローラ５ｂの端部に接続した駆動プーリ４５からタイミングベルト４６を介して駆動を伝達している。これにより、清掃ブラシ９は、搬送ローラ５ｂと同一方向に回転するようになっている。また、清掃ブラシ９の駆動プーリ４４は、搬送ローラ５ｂの駆動プーリ４５よりも小径となっているので、清掃ブラシ９は、搬送ローラ５ｂよりも早く回転するようになっている。従って、清掃ブラシ９は、原稿の搬送速度よりも速く回転する。
【００２０】
ここで、駆動を伝達する手段としてタイミングベルト４６を用いたが、清掃ブラシ９が、搬送ローラ５ｂと同一方向に、搬送ローラ５ｂよりも早く回転するのであれば、ギヤ対を使用しても同等の効果が得られる。
【００２１】
上記構成からなる第１実施形態に係る原稿移動型読取装置１０の基本動作を図１に基づいて説明する。画像情報を持った原稿を、画像側を下側にして原稿搬送方向Ａより原稿移動型読取装置１０内に挿入する。原稿は、搬送ローラ対５ａ、５ｂに挟持し、搬送ガイド板４、６間を搬送する。原稿１１の先端が、原稿押さえローラ１とコンタクトガラス２に到達すると、ＣＣＤ３により画像情報の読み取りを開始する。その後、原稿を排紙ローラ対８ａ、８ｂで挟持し、排紙ガイド板７ａ、７ｂ間を搬送し、原稿を装置外に排出して、読み取り動作を終了する。
【００２２】
上述の基本動作において、原稿の画像面に付着物が付いている場合、原稿画像面側にゴミがついている場合、原稿が清掃ブラシ９と接触し、原稿搬送速度と清掃ブラシ９の回転との周速差によって原稿の表面についたゴミを掻き取る。掻き取られたゴミは、清掃ブラシ９の表面に付着するか、または、清掃ブラシ穴６ａより図示しないゴミ受けに落下する。
【００２３】
また、清掃ブラシ９は、原稿押さえローラ１よりも原稿搬送方向Ａの上流に設けてあるため、原稿の厚さにより原稿と清掃ブラシとの接触圧が変化し難いので、原稿こすれを生じることなく付着物を取ることができる。
【００２４】
ここで清掃ブラシ９は、図５に示されるように、原稿搬送位置よりも突出しているが、原稿の搬送方向（Ａ）と同一方向に原稿搬送速度よりも早く回転するため、原稿の動きを妨げないので、原稿折れを防止することができる。
【００２５】
また、清掃ブラシ９の毛９ａは、清掃ブラシ９の回転軸９ｂの円周上に植えられており、回転しながら原稿と接触するため、清掃ブラシ９が原稿と接触する面積が大きいので、平面状で回転しない原稿清掃部材に比べてゴミの付着量が多く、原稿清掃部材の清掃の頻度は大幅に減少する。
【００２６】
次に、図６に基づいて、本発明の第２実施形態について説明する。第２実施形態に係る原稿移動型読取装置は、図６に示すように、清掃ブラシ９の端部に駆動ギヤ６１が設けられており、搬送ローラ５ｂの端部に設けられた駆動ギヤ６３から中間ギヤ６５、６７を介して駆動を伝達して搬送ローラ５ｂと逆方向に回転するようになっている。ここで、駆動を伝達する手段として中間ギヤを２個用いたが、中間ギヤを偶数個使用すれば同等の効果が得られる。
【００２７】
また、第２実施形態では、清掃ブラシ９に、本装置で許容される紙種のもっともコシの弱い原稿が搬送されても搬送を妨げない硬さの材質を選択して用い、原稿折れを防止することが好ましい。
【００２８】
以上説明した以外の構成および基本動作は、第１実施形態と同様であるので説明を省略する。
【００２９】
上記の第２実施形態に係る原稿移動型読取装置では、第１実施形態と同様に、清掃ブラシ９の毛９ａは、清掃ブラシ９の回転軸９ｂの円周上に植えられており、回転しながら原稿と接触するため、清掃ブラシ９が原稿と接触する面積が比較的大きいので、平面状で回転しない原稿清掃部材に比べてゴミの付着量が多く、原稿清掃部材の清掃の頻度は大幅に減少する。
【００３０】
また、清掃ブラシ９および搬送ローラ５ｂは逆方向に回転するため、両者の周速差は第１実施形態に比べ大きいので、原稿への付着力の大きいゴミでも掻き取ることができる。
【００３１】
次に、図７に基づいて本発明の第３実施形態について説明する。
【００３２】
第３実施形態に係る原稿移動型読取装置は、清掃ブラシ９の端部に駆動ギヤ７１が設けられている。また、駆動ローラ５ｂの端部に、駆動ギヤ７３および電磁クラッチ７５が設けられている。一方、駆動ギヤ７１、７３の間には、中間ギヤ７７、７９が設けられ、搬送ローラ５ｂの端部に設けられた駆動ギヤ７３から中間ギヤ７７、７９を介して駆動を伝達して、清掃ブラシ９を搬送ローラ５ｂと逆方向に回転するようになっている。
【００３３】
上記電磁クラッチ７５は、制御手段８１に接続され、制御手段８１は原稿検知センサ８３に接続されている。この原稿検知センサ８３は、原稿の先端部が清掃ブラシ９上を通過したことを検知し、制御手段８１に検知信号を出力するようになっている。また、制御手段８１は、検知信号に応じて電磁クラッチ７５を動作させて、搬送ローラ５ｂと駆動ギヤ７３を接続また断続し得るようになっている。
【００３４】
なお、第３実施形態では、駆動を伝達する手段として中間ギヤを２個用いたが、中間ギヤを偶数個使用すれば同等の効果が得られる。また、電磁クラッチ７５の位置は駆動系のどこに設置しても同等の効果が得られる。
【００３５】
上記構成からなる第３実施形態に係る原稿移動型読取装置では、通常、電磁クラッチ７５は断続状態となっており、清掃ブラシ９は停止している。搬送ローラ５ａ，５ｂ間に原稿を挿入、搬送して、原稿の先端部が清掃ブラシ９上を通過したことを原稿検知センサ８３が検知して、検知信号を制御手段８１に出力する。制御手段８１は、原稿検知センサ８３からの検知信号に応じて、電磁クラッチ７５を動作させ、搬送ローラ５ｂおよび駆動ギヤ７３を接続し、清掃ブラシ９を回転させて原稿に付着したゴミを掻き落とす。従って、コシの弱い原稿であっても、原稿の搬送により先端部が清掃ブラシ９上を通過した後で清掃ブラシ９の回転を開始することができるので、原稿の先端部が回転する清掃ブラシ９に当たることによって原稿折れが起こるのを防ぐことができる。よって、第３実施形態に係る原稿移動型読取装置によれば、原稿折れや原稿破れの起こりそうな場合に清掃ブラシ９を停止させておくことにより、清掃ブラシ９が搬送方向と逆方向に回転していても、ゴミの除去能力を維持しつつ、原稿折れや原稿破れを防止できる。また、原稿の紙種に関係なく、ゴミ除去の観点から清掃ブラシ９の材質を選択できるので、原稿への付着力の大きいゴミでも掻き取ることができる。
【００３６】
また、第３実施形態の清掃ブラシ９は、第１、２実施形態と同様に、毛９ａが、清掃ブラシ９の回転軸９ｂの円周上に植えられており、回転しながら原稿と接触するため、清掃ブラシ９が原稿と接触する面積は比較的大きいので、平面状で回転しない原稿清掃部材に比べてゴミの付着量が多く、原稿清掃部材の清掃の頻度は大幅に減少する。
【００３７】
本発明は上述した実施形態に限定されず、本発明の要旨を逸脱しない範囲で種々の変更が可能である。例えば、第１実施形態に係る原稿移動型読取装置に、第３実施形態の電磁クラッチ７５、制御手段８１および原稿検知センサ８３を組み合わせても良い。
【００３８】
また、第１〜第３実施形態では、清掃ブラシ９を搬送ローラ５ｂの駆動を伝達して回転させているが、別途回転駆動手段を設けても良い。
【００３９】
【発明の効果】
以上説明したように、請求項１に記載の発明によれば、原稿押さえローラと搬送ローラとの間でかつ原稿読み取り面側に、原稿押さえローラと同一方向に原稿搬送速度より早く回転する原稿清掃部材を設けているので、原稿清掃部材の清掃の頻度が大幅に減少すると共に、原稿折れの無い、円滑な原稿搬送を行うことができる。
【００４０】
請求項２に記載の発明によれば、原稿押さえローラと搬送ローラとの間でかつ原稿読み取り面側に原稿押さえローラと逆方向に回転する原稿清掃部材を設けているので、原稿清掃部材の清掃の頻度が大幅に減少すると共に、原稿への付着力の大きいゴミでも取り除くことができる。
【図面の簡単な説明】
【図１】本発明の原稿移動型読取装置の第１実施形態を示す配置図である。
【図２】本発明の第１実施形態に係る原稿移動型読取装置の要部を示す斜視図である。
【図３】本発明の第１実施形態に係る原稿移動型読取装置の要部を示す配置図である。
【図４】本発明の第１実施形態に係る原稿移動型読取装置の要部を示す配置図である。
【図５】本発明の第１実施形態に係る原稿移動型読み取り装置の要部を示す断面図である。
【図６】本発明の第２実施形態に係る原稿移動型読み取り装置の要部を示す斜視図である。
【図７】本発明の第３実施形態に係る原稿移動型読み取り装置の要部を示す斜視図である。
【符号の説明】
１    原稿押さえローラ
２    コンタクトガラス
３    画像読み取り部
４、６  搬送ガイド板（原稿ガイド板）
５ａ、５ｂ  搬送ローラ対
６ｂ    清掃穴
７ａ、７ｂ  排紙ガイド板
８ａ、８ｂ  排紙ローラ対
９    清掃ブラシ
１０  原稿移動型読取装置
４２    清掃ブラシ穴
４３ａ、４３ｂ    側板
４４、４５  駆動プーリ
４６    タイミングベルト
４７    帯電ローラ
８１    制御手段
８３    原稿検知センサ
【図１】
0003759295.tif 000002
【図２】
0003759295.tif 000003
【図３】
0003759295.tif 000004
【図４】
0003759295.tif 000005
【図５】
0003759295.tif 000006
【図６】
0003759295.tif 000007
【図７】
0003759295.tif 000008